(57)【特許請求の範囲】
【請求項１】
撮影光学系の被写界を測光する測光手段と、
前記被写界の複数位置に対する前記撮影光学系の合焦状態を検出する焦点検出手段と、
前記測光手段の出力に基づき前記被写界中の被写体を認識するシーン解析を繰り返すシーン解析手段と、
前記シーン解析手段の出力と前記焦点検出手段の出力とに基づき前記撮影光学系のデフォーカス信号を生成するフォーカス演算を繰り返すフォーカス演算手段と、
前記フォーカス演算手段が被写体の動作に追従して合焦動作を行う場合と、前記被写体の動作に追従しないで合焦動作を行う場合とで、前記シーン解析の繰り返し速度を切り換える切換手段と、
を備えたことを特徴とする撮像装置。
【請求項２】
請求項１に記載の撮像装置において、
前記フォーカス演算手段は、
前記シーン解析手段の出力を必要に応じて前記デフォーカス信号へと反映させるものであり、
前記切換手段は、
前記シーン解析手段の出力が前記デフォーカス信号に反映される期間における前記シーン解析の繰り返し速度を、反映されない期間における前記繰り返し速度よりも高速化する
ことを特徴とする撮像装置。
【請求項３】
請求項２に記載の撮像装置において、
前記切換手段は、
前記シーン解析手段の出力が前記デフォーカス信号に反映される期間における前記シーン解析の繰り返し速度を、前記期間における前記フォーカス演算の繰り返し速度と同等以上の高速に設定する
ことを特徴とする撮像装置。
【請求項４】
請求項２又は請求項３に記載の撮像装置において、
前記切換手段は、
前記シーン解析手段の出力が前記デフォーカス信号に反映される期間であっても、前記撮像装置のレリーズボタンの非操作期間には前記高速化を控える
ことを特徴とする撮像装置。
【請求項５】
請求項２〜請求項４の何れか一項に記載の撮像装置において、
前記切換手段は、
前記高速化の際には、前記シーン解析の繰り返し速度を、前記被写界の照明のフリッカーの影響を受けにくい速度に設定する
ことを特徴とする撮像装置。
【請求項６】
請求項１〜請求項５の何れか一項に記載の撮像装置において、
前記切換手段は、
前記撮像装置のレリーズボタンの操作期間における前記フォーカス演算の繰り返し速度を、非操作期間における前記フォーカス演算の繰り返し速度よりも高速化する
ことを特徴とする撮像装置。  
【発明の詳細な説明】
【技術分野】
【０００１】
本発明は、撮像装置に関する。
【背景技術】
【０００２】
一眼レフレックスカメラには、ミラーダウン状態でも被写界の明るさ分布を監視できるよう、電荷蓄積型の測光センサが設けられている。この測光センサの出力は、測光演算の他、シーン解析にも用いられ、シーン解析の結果は、必要に応じてフォーカス制御に利用される。例えば、カメラのフォーカスモードが、オートエリアＡＦモードや３Ｄ−トラッキングモードなどの被写体追従型に設定されていた場合などである。
【０００３】
通常、測光演算に適した測光センサの電荷蓄積時間と、シーン解析に適した測光用センサの電荷蓄積時間とは異なるので、測光センサの電荷蓄積は１回の測光サイクル内に２回行われ、そのうち一回の電荷蓄積時間は測光演算用の電荷蓄積時間に設定され、他の一回の電荷蓄積時間はシーン解析用の電荷蓄積時間に設定される。
【先行技術文献】
【特許文献】
【０００４】
【特許文献１】特開２０１１−２６８８号公報
【発明の概要】
【発明が解決しようとする課題】
【０００５】
近年、測光センサの画素数向上に伴い、測光演算やシーン解析の演算量が増大する傾向にあるので、シーン解析を利用したフォーカス制御の応答性にも影響の及ぶ虞がある。
【０００６】
そこで本発明は、画素数の多い高性能な測光センサをフォーカス制御に有効利用するのに適した構成の撮像装置を提供することを目的とする。
【課題を解決するための手段】
【０００７】
本発明の撮像装置は、撮影光学系の被写界を測光する測光手段と、前記被写界の複数位置に対する前記撮影光学系の合焦状態を検出する焦点検出手段と、前記測光手段の出力に基づき前記被写界中の被写体を認識するシーン解析を繰り返すシーン解析手段と、前記シーン解析手段の出力と前記焦点検出手段の出力とに基づき前記撮影光学系のデフォーカス信号を生成するフォーカス演算を繰り返すフォーカス演算手段と、前記フォーカス演算手段が被写体の動作に追従して合焦動作を行う場合と、前記被写体の動作に追従しないで合焦動作を行う場合とで、前記シーン解析の繰り返し速度を切り換える切換手段とを備える。
【発明の効果】
【０００８】
本発明によれば、画素数の多い高性能な測光センサをフォーカス制御に有効利用するのに適した構成の撮像装置が実現する。
【図面の簡単な説明】
【０００９】
【図１】カメラシステムの全体構成図である。
【図２】ボディ駆動制御装置２４及びその周辺のブロック図である。
【図３】ボディ駆動制御装置２４のタイミングチャートである。
【図４】フォーカスモードがオートエリアＡＦモードに設定され、かつ、レリーズボタンが半押しされている期間におけるデフォーカス信号の変移を説明する模式図である。
【発明を実施するための形態】
【００１０】
［実施形態］
以下、本発明の実施形態として一眼レフレックス・ディジタルスチルカメラシステムを説明する。
【００１１】
図１は、カメラシステムの全体構成図である。図１に示すとおり、カメラシステムは、カメラボディ１と、カメラボディ１に装着されたレンズ鏡筒２とを備え、カメラボディ１に装着されるレンズ鏡筒２は、他のレンズ鏡筒に交換することも可能である。
【００１２】
レンズ鏡筒２には、撮影レンズ３１（ズーミングレンズおよびフォーカシングレンズを含む）、絞り３２、レンズ駆動制御装置３３などが備えられる。この撮影レンズ３１は、被写界（撮影レンズ３１の物体空間）から射出した光束（被写界光束）を結像する。
【００１３】
レンズ駆動制御装置３３は、不図示のマイクロコンピューター、ＲＯＭ、ＲＡＭ、レンズ駆動用アクチュエーター、絞り駆動用アクチュエーターなどから構成され、撮影レンズ３１の焦点調節や絞り３２の開口調節などを行う。
【００１４】
カメラボディ１には、メインミラー１１、サブミラー１２、シャッター１３、撮像素子１４、焦点検出装置１５、拡散スクリーン１６、コンデンサーレンズ１７、ペンタダハプリズム１８、接眼レンズ１９、測光光学素子２０、測光レンズ２２、測光センサ２３、ボディ駆動制御装置２４などが備えられる。
【００１５】
測光センサ２３は、ＣＣＤやＣＭＯＳなどで構成された電荷蓄積型の撮像素子であって、赤色光の強度を検出するＲ画素と、緑色光の強度を検出するＧ画素と、青色光の強度を検出するＢ画素とをモザイク状に配列している。測光センサ２３の総画素数は、例えば８６０００個などである。なお、本実施形態では、測光センサ２３の内部にＡ／Ｄ変換回路が搭載されており、測光センサ２３の出力する測光信号は、ディジタル信号であると仮定する。
【００１６】
撮像素子１４は、ＣＣＤやＣＭＯＳなどで構成された電荷蓄積型の撮像素子であって、赤色光の強度を検出するＲ画素と、緑色光の強度を検出するＧ画素と、青色光の強度を検出するＢ画素とをモザイク状に（例えばベイヤ配列パターンで）配列している。撮像素子１４の総画素数は、測光センサ２３よりも多い。
【００１７】
焦点検出装置１５は、瞳分割位相差検出方式の焦点検出装置であり、撮影レンズ３１の焦点調節状態を示す信号を、被写界内の複数のエリア毎に生成する。
【００１８】
ボディ駆動制御装置２４は、後述するシーケンスマイコンや画像処理ＩＣなどから構成され、カメラボディ１に搭載された各要素を制御する。このボディ駆動制御装置２４は、レンズ鏡筒２のマウント部に設けられた電気接点（不図示）を介してレンズ鏡筒２のレンズ駆動制御装置３３と電気的に接続されている。
【００１９】
非撮影時には、図１に破線で示すように、メインミラー１１とサブミラー１２とが被写界光束の光路に挿入され（ミラーダウン状態となり）、撮影レンズ３１を通過した被写界光束の一部はメインミラー１１で反射し、拡散スクリーン１６上に被写界像を形成する。この被写界像から射出した光束は、コンデンサーレンズ１７、ペンタダハプリズム１８、接眼レンズ１９を介して撮影者の目へ導かれる。また、拡散スクリーン１６上の被写界像から射出した光束は、コンデンサーレンズ１７、ペンタダハプリズム１８、測光光学素子２０、測光レンズ２２を介して測光センサ２３上に被写界像を形成し、測光センサ２３により測光信号へと変換され、ボディ駆動制御装置２４に取り込まれる。
【００２０】
一方、撮影レンズ３１を通過した被写界光束の残りの一部はメインミラー１１の中央透過部を透過し、サブミラー１２で反射して焦点検出装置１５へ入射し、焦点検出装置１５においてエリア毎の信号へと変換され、ボディ駆動制御装置２４に取り込まれる。
【００２１】
撮影時には、図１中に実線で示すようにメインミラー１１とサブミラー１２が被写界光束の光路から離脱され（ミラーアップ状態となり）、撮影レンズ３１を通過した被写界光束は、撮像素子１４上に被写界像を形成し、撮像素子１４により画像信号へと変換される、ボディ駆動制御装置２４に取り込まれる。
【００２２】
なお、カメラボディ１の上面にはレリーズボタンが設けられており、カメラボディ１の背面にはモニタ、マルチセレクタ、ライブビュー表示スイッチなどが設けられている。このうちレリーズボタンは、撮影タイミングを入力するためのスイッチであり、マルチセレクタは、カメラボディ１のモード（測光モード、フォーカスモードなど）を切り換えるためのスイッチであり、ライブビュー表示スイッチは、被写界の様子をモニタへ映し出すためのスイッチである。よって、非撮影時にライブビュー表示スイッチがオンされると、メインミラー１１及びサブミラー１２がミラーアップ状態となり、被写界光束が撮像素子１４に導かれる。
【００２３】
図２は、ボディ駆動制御装置２４及びその周辺のブロック図である。ボディ駆動制御装置２４には、ＭＣＵにより構成されたシーケンスマイコン５０と、シーケンスマイコン５０の制御下で画像処理を実行する画像処理ＩＣ４０（ＡＳＩＣ）とが備えられる。これらシーケンスマイコン５０と画像処理ＩＣ４０との間におけるデータの送受は、通信によって行われる。
【００２４】
シーケンスマイコン５０には、センサ制御部５０ａと、フォーカス演算部５０ｂとが備えられ、画像処理ＩＣ４０には、蓄積演算部４０ａと、測光演算部４０ｂと、シーン解析部４０ｃとが備えられる。
【００２５】
すなわち、本実施形態では、測光演算部４０ｂ及びシーン解析部４０ｃの搭載先が、シーケンスマイコン５０の側ではなく、画像処理ＩＣ４０の側とされる（従来は、測光演算部４０ｂとシーン解析部４０ｃとフォーカス演算部５０ｂとが何れもシーケンスマイコン５０の側へ搭載されていた。）。
【００２６】
したがって、本実施形態では、フォーカス演算部５０ｂによるフォーカス演算と、シーン解析部４０ｃによるシーン解析（及び測光演算部４０ｂによる測光演算）とが、シーケンスマイコン５０と、画像処理ＩＣ４０とに振り分けられる。
【００２７】
蓄積演算部４０ａは、測光センサ２３が生成する測光信号に基づき、現在の被写界に適した測光センサ２３のアンプゲインと、現在の被写界に適した測光センサ２３の電荷蓄積時間との組み合わせを算出する。
【００２８】
ここで、蓄積演算部４０ｂが算出するアンプゲインと電荷蓄積時間との組み合わせには２通りあって、１つは測光演算用の組み合わせであり、他の１つはシーン解析用の組み合わせである。このうち、測光演算用の組み合わせは、被写界で最も明るい部分に関する測光センサ２３の測光信号が目標値となるような組み合わせであり、シーン解析用の組み合わせは、被写界の各部に関する測光センサ２３の測光信号の平均値が目標値となるような組み合わせである。蓄積演算部４０ｂが算出したこれら２通りの組み合わせは、シーケンスマイコン５０の側に搭載されたセンサ制御部５０ａによって参照される。
【００２９】
センサ制御部５０ａは、蓄積演算部４０ａが算出する２通りの組み合わせに応じて、測光センサ２３のアンプゲイン及び電荷蓄積時間を制御する。この制御下で測光センサ２３は、測光演算用の電荷蓄積時間及びアンプゲインによる電荷蓄積及び電荷読み出しと、シーン解析用の電荷蓄積時間及びアンプゲインによる電荷蓄積及び電荷読み出しとを、交互に繰り返す。この制御により、測光演算用の電荷蓄積期間に測光センサ２３が生成する測光信号は、被写界で最も明るい部分に関する測光信号が目標値にほぼ一致するように制御され（ピークＡＧＣ）、シーン解析用の電荷蓄積期間に測光センサ２３が生成する測光信号は、被写界の各部に関する測光信号がほぼ目標値に一致するように制御される（被写体重視ＡＧＣ）。
【００３０】
測光演算部４０ｂは、測光演算用の電荷蓄積期間に測光センサ２３が生成した測光信号と、カメラボディ１に設定中の測光モードとに基づき測光演算を行い、被写体輝度を算出する。なお、撮影時にシャッター１３に設定すべきシャッター速度と、撮影時に絞り３２に設定すべき絞り値とは、この被写体輝度に基づき制御（露出制御）される。
【００３１】
シーン解析部４０ｃは、シーン解析用の電荷蓄積期間に測光センサ２３が生成した測光信号（色情報及び輝度情報）に対してシーン解析処理を施し、被写界中の主要被写体エリアを認識すると、その主要被写体エリアの位置及び動きを示す信号を生成する。この信号は、必要に応じて、シーケンスマイコン５０の側に搭載されたフォーカス演算部５０ｂにより参照される。
【００３２】
ここで、カメラボディ１のフォーカスモードがオートエリアＡＦモードであった場合、シーン解析部４０ｃは、被写界の背景エリアと被写体エリアとを分離し、さらにテンプレートマッチングにより、人物の顔エリアを主要被写体エリアとする。
【００３３】
また、カメラボディ１のフォーカスモードが３Ｄ−トラッキングモードであった場合、シーン解析部４０ｃは、テンプレートマッチングにより、ユーザが予め指定した特定被写体エリアを検出し、その特定被写体エリアを主要被写体エリアとする。
【００３４】
フォーカス演算部５０ｂは、シーン解析部４０ｃが生成した信号（主要被写体エリアの位置及び動きを示す信号）と、焦点検出装置１５がエリア毎に生成した信号と、カメラボディ１のフォーカスモードとに基づきフォーカス演算を行い、撮影レンズ３１のデフォーカス信号を生成する。このデフォーカス信号は、レンズ駆動制御装置３３へ送出され、撮影レンズ３１のフォーカス制御（フィードバック制御）に使用される。この制御により、撮影レンズ３１の合焦先は、ユーザが予め指定したエリア、又は、シーン解析部４０ｃが認識した主要被写体エリアに一致する。
【００３５】
ここで、カメラボディ１のフォーカスモードがエリア固定型（シングルポイントＡＦモードなど、撮影レンズ３１の合焦先を主要被写体エリアに追従させないタイプ）である場合、フォーカス演算部５０ｂは、シーン解析部４０ｃの生成する信号を参照せずに、撮影レンズ３１の合焦先をユーザが予め指定したエリアに一致させるためのデフォーカス信号を、撮影レンズ３１のデフォーカス信号として生成する。
【００３６】
一方、カメラボディ１のフォーカスモードが被写体追従型（オートエリアＡＦモード、３Ｄ−トラッキングモードなど、撮影レンズ３１の合焦先を主要被写体エリアに追従させるタイプ）である場合、フォーカス演算部５０ｂは、シーン解析部４０ｃが生成した信号を参照し、撮影レンズ３１の合焦先を主要被写体エリアに追従させるためのデフォーカス信号を、撮影レンズ３１のデフォーカス信号として生成する。
【００３７】
但し、カメラボディ１のフォーカスモードが被写体追従型であったとしても、シーン解析部４０ｃの主要被写体エリアの認識に失敗した場合、フォーカス演算部５０ｂは、撮影レンズ３１の合焦先を優先エリア（例えば至近エリア）とするためのデフォーカス信号を、撮影レンズ３１のデフォーカス信号として生成する。
【００３８】
図３は、ボディ駆動制御装置２４のタイミングチャートである。図３（ａ）は、従来のタイミングチャートであり、図３（ｂ）、（ｃ）は、本実施形態のタイミングチャートである。なお、図３において斜線が付与されたブロックは、測光演算の期間を示しており、２重斜線が付与されたブロックは、シーン解析の期間を示しており、格子線が付与されたブロックは、フォーカス演算の期間を示している。因みに、従来の測光サイクルの長さは、１００ｍｓ程度である。
【００３９】
従来は、図３（ａ）に示すとおり、測光サイクルに関する演算（測光演算及びシーン解析）と、ＡＦサイクルに関する演算（フォーカス演算）との双方をシーケンスマイコン（ＭＣＵ）で実行していたので、測光サイクルに関する演算（測光演算及びシーン解析）とＡＦサイクルに関する演算（フォーカス演算）とを並列に処理することはできず、１回の測光サイクル内で、測光演算及びシーン解析を実行していない期間に、フォーカス演算を（細分化して）割り当てていた。このため、仮に、測光センサ２３の画素数が向上し、測光演算及びシーン解析の演算量が増大すると、フォーカス演算に割り当てられる期間が不足する（或いは、測光サイクルが延長する）虞があった。また、従来は、ＡＦサイクルを測光サイクルと独立に設定することはできなかったため、測光サイクルとＡＦサイクルとが共に長大化する傾向にあった。
【００４０】
一方、本実施形態では、図３（ｂ）に示すとおり、測光サイクルに関する演算（測光演算及びシーン解析）を画像処理ＩＣ（ＡＳＩＣ）で実行し、ＡＦサイクルに関する演算（フォーカス演算）をシーケンスマイコン（ＭＣＵ）で実行するので、測光サイクルに関する演算（測光演算及びシーン解析）と、ＡＦサイクルに関する演算（フォーカス演算）とを並列に処理することができる。したがって、測光センサ２３の画素数が向上し、測光演算及びシーン解析の演算量が増大しても、シーケンスマイコン（ＭＣＵ）の演算負荷が過大となることはない。また、本実施形態では、ＡＦサイクルを測光サイクルと独立に設定することができるので、測光サイクル及びＡＦサイクルの各々を個別に高速化することも可能である。
【００４１】
つまり、本実施形態では、ＡＦサイクルを測光サイクルとは無関係に設定できるので、例えば図３（ｂ）に示すとおりＡＦサイクルを高速化することが可能である。もちろん、本実施形態では、シーケンスマイコンと画像処理ＩＣとに機能を振り分けるので、図３（ｃ）に示すとおり測光サイクルについても高速化が可能である。
【００４２】
しかしながら、測光サイクルを常に最高速に設定しておくと、測光センサ２３の駆動頻度が増え、消費電力が過大になる虞もある。
【００４３】
その一方で、カメラボディ１のフォーカスモードが被写体追従型であった場合は、測光サイクルがＡＦサイクルより低速だと、頻繁に行われるフォーカス演算に対してシーン解析の結果を反映できる機会が不足するので、フォーカス制御の応答性が悪くなる。これでは、ＡＦサイクルを高速化できるという本実施形態の利点が生かされない。
【００４４】
そこで、本実施形態のボディ駆動制御装置２４は、カメラボディ１のフォーカスモードと、カメラボディ１のレリーズ操作の有無とに応じて、以下のとおり測光サイクルを切り換える。なお、ここでは、ＡＦサイクルは常に高速に設定されていると仮定する。
【００４５】
（ｉ）フォーカスモードがエリア固定型に設定されている期間：測光サイクルは低速に設定される。この測光サイクルは、ＡＦサイクルよりも低速であって構わない（例えば、図３（ｂ））。
【００４６】
（ｉｉ）フォーカスモードが被写体追従型に設定されており、かつ、レリーズボタンの操作されていない期間（半押しタイマーがＯＮされている期間）：測光サイクルは、期間（ｉ）における測光サイクルと同じ速度に設定される（例えば、図３（ｂ））。
【００４７】
（ｉｉｉ）フォーカスモードが被写体追従型に設定されており、かつ、レリーズボタンの操作されている期間（半押し又は全押し期間）：測光サイクルは、期間（ｉ）、（ｉｉ）における測光サイクルよりも高速に設定される。また、この期間（ｉｉｉ）の測光サイクルは、同じ期間（ｉｉｉ）のＡＦサイクルと同等以上の高速に設定される（例えば、図３（ｃ））。
【００４８】
但し、被写界を照明する光源がフリッカーを有していた場合に測光サイクルを高速化すると、測光信号がフリッカーの影響を受ける虞がある。そこで、本実施形態のボディ駆動制御装置２４は、測光センサ２３の生成する測光信号に基づき、フリッカーへの対処が必要か否かを判別し、必要であった場合には、測光信号に対するフリッカーの影響が現れるようなサイクルを測光サイクルの候補から外す、すなわち、フリッカーの影響が現れないようなサイクルに測光サイクルを設定することが望ましい。
【００４９】
なお、フリッカーの影響を回避する方法としては、例えば特開平８−１４６４８７号公報、特開２０１１−２６８８号公報などに記載された方法を採用することができる。因みに、特開平８−１４６４８７号公報に記載された方法では、複数のサイクルを予め記憶し、その中から最良のサイクルを選択して使用している。
【００５０】
図４は、カメラボディ１のフォーカスモードがオートエリアＡＦモードに設定され、かつ、レリーズボタンが半押しされている期間におけるデフォーカス信号の変移を説明する模式図である。図４におけるｔは、半押し開始からの経過時間を示しており、Ｔは、測光サイクルの長さを示している。なお、図４はあくまでも模式図であって、測光サイクルの実際の繰り返し数は、図４のとおりになるとは限らない。
【００５１】
図４に示す例では、半押し開始から早期の時点（ｔ＝Ｔ）で測光センサ上に形成される顔エリアの像はボケているため、シーン解析部４０ｃによる主要被写体エリアの認識（図４の例では顔認識）は成功しない。この場合、フォーカス演算部５０ｂの生成するデフォーカス信号は、顔エリアのデフォーカス信号ではなく、優先エリア（至近エリア）のデフォーカス信号となる。よって、この場合、フォーカス制御は、撮影レンズ３１の合焦先が顔エリアではなく優先エリアに近づけられるように働く。
【００５２】
その後、シーン解析部４０ｃは、顔エリアのボケ量が或程度小さくなった時点（ｔ＝３Ｔ）で、顔認識を成功させる。よって、その時点（ｔ＝３Ｔ）以降にフォーカス演算部５０ｂの生成するデフォーカス信号は、優先エリアのデフォーカス信号ではなく、顔エリアのデフォーカス信号となる。よって、この場合、フォーカス制御は、撮影レンズ３１の合焦先が優先エリアではなく顔エリアに近づけられるように働く。
【００５３】
ここで、上述したとおり本実施形態では、レリーズボタンの半押し期間における測光サイクルは、ＡＦサイクルと同等以上の高速に設定される。よって、レリーズボタンの半押し期間における顔認識の頻度は、フォーカス演算の頻度よりも高くなっている。
【００５４】
したがって、本実施形態では、レリーズボタンが半押しされてから顔エリアに対するフォーカス制御が開始されるまでの所要時間は、短くなる（図４の例では３Ｔ）。その結果、撮影レンズ３１の合焦先が顔エリアに合致するまでの所要時間も、短くなる（図４の例では５Ｔ）。
【００５５】
また、このようなフォーカス性能の向上効果は、フォーカスモードが他の被写体追従型（３Ｄ−トラッキングモードなど）に設定されていた場合にも同様に得られる。
【００５６】
以上、本実施形態のカメラシステムは、撮影光学系（撮影レンズ３１）の被写界を測光する測光手段（測光センサ２３）と、被写界の複数位置に対する撮影光学系（撮影レンズ３１）の合焦状態を検出する焦点検出手段（焦点検出装置１５）と、測光手段（測光センサ２３）の出力に基づき被写界中の被写体を認識するシーン解析を繰り返すシーン解析手段（シーン解析部４０ｃ）と、シーン解析手段（シーン解析部４０ｃ）の出力と焦点検出手段（焦点検出装置１５）の出力とに基づき撮影光学系（撮影レンズ３１）のデフォーカス信号を生成するフォーカス演算を繰り返すフォーカス演算手段（フォーカス演算部５０ｂ）と、フォーカス演算手段（フォーカス演算部５０ｂ）の動作内容に応じてシーン解析の繰り返し速度（測光サイクルの速度）を切り換える切換手段（ボディ駆動制御装置２４）とを備える。
【００５７】
したがって、本実施形態のカメラシステムは、画素数の多い高性能な測光手段（測光センサ２３）を、フォーカス制御に有効利用することが可能である。
【００５８】
また、本実施形態のフォーカス演算手段（フォーカス演算部５０ｂ）は、シーン解析手段（シーン解析部４０ｃ）の出力を必要に応じてデフォーカス信号へと反映させるものであり、切換手段（ボディ駆動制御装置２４）は、シーン解析手段（シーン解析部４０ｃ）の出力がデフォーカス信号に反映される期間（フォーカスモードが被写体追従型である期間）におけるシーン解析の繰り返し速度（測光サイクルの速度）を、反映されない期間（フォーカスモードがエリア固定型である期間）における繰り返し速度（測光サイクルの速度）よりも高速化する。
【００５９】
このように、フォーカスモードに応じてシーン解析の繰り返し速度（測光サイクルの速度）を適切に切り換えれば、各種のフォーカス制御の応答性をそれぞれ低下させることなく、測光手段（測光センサ２３）の消費電力を必要最小限に抑えることができる。
【００６０】
また、本実施形態の切換手段（ボディ駆動制御装置２４）は、シーン解析手段（シーン解析部４０ｃ）の出力がデフォーカス信号に反映される期間（フォーカスモードが被写体追従型である期間）におけるシーン解析の繰り返し速度（測光サイクルの速度）を、その期間におけるフォーカス演算の繰り返し速度（ＡＦサイクルの速度）と同等以上の高速に設定するので、各回のフォーカス演算に比較的新しいシーン解析結果を使用することができる。よって、被写体追従型フォーカス制御の応答性を、高めることができる。
【００６１】
また、本実施形態の切換手段（ボディ駆動制御装置２４）は、シーン解析手段（シーン解析部４０ｃ）の出力がデフォーカス信号に反映される期間（フォーカスモードが被写体追従型である期間）であっても、撮像装置（カメラボディ１）のレリーズボタンの非操作期間には高速化を控えるので、測光手段（測光センサ２３）の消費電力を、更に効率的に抑えることができる。
【００６２】
また、本実施形態の切換手段（ボディ駆動制御装置２４）は、その高速化の際には、シーン解析の繰り返し速度（測光サイクル）を、被写界の照明のフリッカーの影響を受けにくい速度に設定するので、フリッカーの有無にかかわらず、シーン解析処理の精度、ひいてはフォーカス制御の応答性を保つことができる。
【００６３】
［実施形態の補足］
なお、上述した実施形態のカメラシステムでは、撮像素子１４で取得した画像を処理対象とする顔検出モジュールが、画像処理ＩＣに搭載されていてもよい。その場合は、前述したシーン解析部４０ｃによる顔検出に、その顔検出モジュールを兼用してもよい。
【００６４】
また、上述した実施形態のボディ駆動制御装置２４は、カメラボディ１のモードに依らずＡＦサイクルを一定（最高速）としたが、レリーズボタンの非操作時のＡＦサイクルを、レリーズボタンの操作時のＡＦサイクルよりも低速に設定してもよい。
【００６５】
このようにすれば、フォーカス制御の応答性の向上する期間を、必要な期間のみに制限することができるので、測光センサ２３の消費電力を更に抑えることができる。
【符号の説明】
【００６６】
１…カメラボディ、２…レンズ鏡筒、３１…撮影レンズ、３２…絞り、３３…レンズ駆動制御装置、３３…レンズ駆動制御装置、１１…メインミラー、１２…サブミラー、１３…シャッター、１４…撮像素子、１５…焦点検出装置、１６…拡散スクリーン、１７…コンデンサーレンズ、１８…ペンタダハプリズム、１９…接眼レンズ、２０…測光光学素子、２２…測光レンズ、２３…測光センサ、２４…ボディ駆動制御装置
【図１】
0005879809.tif 000002
【図２】
0005879809.tif 000003
【図３】
0005879809.tif 000004
【図４】
0005879809.tif 000005